(57)【特許請求の範囲】
【請求項１】
接続された照明機器を検出すると、少なくとも、検出された照明機器の質量を示す情報を収集する検出部と；
前記照明機器が設置される設置具を示す設置具情報が表示された画面上に、前記検出部が検出した照明機器を示す照明機器情報を移動可能に表示し、当該設置具に取り付け可能な機器の最大質量と、前記設置具に接続された照明機器の合計質量との差分に関する情報を表示する表示部と；
を有する照明制御装置を具備することを特徴とする照明制御システム。
【請求項２】
前記検出部は、前記照明制御システムに照明機器が接続された際に、当該照明機器を検出し、
前記表示部は、前記検出部が前記照明制御システムに接続された照明機器を検出したことを契機として、当該検出された照明機器を示す照明機器情報を表示することを特徴とする請求項１に記載の照明制御システム。 
【請求項３】
前記照明機器は、前記設置具を介して前記照明制御システムと接続され、
前記検出部は、検出された照明機器が接続された設置具を特定し、
前記表示部は、前記設置具情報の表示位置に前記検出部が検出した照明機器を示す照明機器情報を重ねて表示することを特徴とする請求項１または２に記載の照明制御システム。 
【請求項４】
前記検出部は、検出された照明機器の種別を示す情報を収集し、
前記表示部は、前記照明機器の種別に応じて視覚的に異なる表示を行うことを特徴とする請求項１〜３の何れか１項に記載の照明制御システム。 
【請求項５】
接続された照明機器を検出すると、少なくとも、検出された照明機器の質量を示す情報を収集する検出ステップと；
前記照明機器が設置される設置具を示す設置具情報が表示された画面上に、前記検出ステップで検出した照明機器を示す照明機器情報を移動可能に表示し、当該設置具に取り付け可能な機器の最大質量と、前記設置具に接続された照明機器の合計質量との差分に関する情報を表示する表示ステップと；
を含むことを特徴とする照明制御方法。 
【請求項６】
コンピュータに、
接続された照明機器を検出すると、少なくとも、検出された照明機器の質量を示す情報を収集する検出手順と；
前記照明機器が設置される設置具を示す設置具情報が表示された画面上に、前記検出手順で検出した照明機器を示す照明機器情報を移動可能に表示し、当該設置具に取り付け可能な機器の最大質量と、前記設置具に接続された照明機器の合計質量との差分に関する情報を表示する表示手順と；
を実行させることを特徴とする照明制御プログラム。 
【発明の詳細な説明】
【技術分野】
【０００１】
本発明の実施形態は、照明制御システム、照明制御方法および照明制御プログラムに関する。
【背景技術】
【０００２】
従来、スタジオや舞台等では、天井から吊らされたバトンと呼ばれる長尺の器具に照明機器を取りつけるとともに、照明機器の制御を行う照明制御装置と各照明機器とを接続し、照明制御装置から各照明機器を制御する照明制御システムが利用されている。
【０００３】
このような照明制御システムでは、照明による演出を変更する際や照明機器の置き換えを行う際等に、照明機器の取り付けや取り外しが行われる。例えば、照明制御システムは、使用予定の照明機器を予め照明制御装置側に設定し、その後照明機器をバトンに取り付けて照明制御システムに接続し、さらに照明制御装置が有する調光用フェーダ等の操作部と照明機器とを対応付けるといった一連の作業が、手作業により行われる。
【０００４】
ところで、このような照明制御システムでは、照明制御装置のオペレータ（利用者）にとって、実際に使用される照明機器の把握がしばしば困難となる。その理由は、一般に、使用予定の照明機器の設定が手作業により行われることに起因しており、実際に使用される照明機器と設定内容とが適切に対応付けられていないことによる。このような場合、オペレータが照明機器の設定誤りを認識して正しく操作するのは必ずしも容易なことではない。
【先行技術文献】
【特許文献】
【０００５】
【特許文献１】特開２０１４−１２０３５１号公報
【発明の概要】
【発明が解決しようとする課題】
【０００６】
本発明が解決しようとする課題は、使用される照明機器を容易に把握し操作できる照明制御システム、照明制御方法および照明制御プログラムを提供することである。
【課題を解決するための手段】
【０００７】
実施形態の一例に係る照明制御システムは、検出部と、表示部とを有する照明制御装置を具備する。検出部は、照明制御システムに接続された照明機器を検出すると、少なくとも、検出された照明機器の質量を示す情報を収集する。表示部は、照明機器が設置される設置具を示す設置具情報が表示された画面上に、検出部が検出した照明機器を示す照明機器情報を表示し、設置具に取り付け可能な機器の最大質量と、設置具に接続された照明機器の合計質量との差分に関する情報を表示する。
【発明の効果】
【０００８】
実施形態の一例に係る照明制御システム、照明制御方法および照明制御プログラムによれば、使用される照明機器を容易に把握し操作できる。
【図面の簡単な説明】
【０００９】
【図１】図１は、実施形態に係る照明制御システムの構成の一例を示すブロック図である。
【図２】図２は、実施形態に係る照明制御装置および照明機器の構成の一例を示すブロック図である。
【図３】図３は、実施形態に係る照明制御システムで用いられる照明機器情報の一例を示す図である。
【図４】図４は、実施形態に係る照明制御装置によるスタジオ全体表画面示の一例を示す図である。
【図５】図５は、実施形態に係る照明制御装置による照明機器の情報表示画面の一例を示す図である。
【図６】図６は、実施形態に係る照明制御装置における表示処理の一例を示すフローチャートである。
【図７】図７は、実施形態に係る照明制御装置が表示する画面の他の例を説明する図である。
【図８】図８は、実施形態に係る照明制御装置による照明機器の情報表示画面の他の例を示す図である。
【発明を実施するための形態】
【００１０】
以下、図面を参照して、実施形態に係る照明制御システム、照明制御方法および照明制御プログラムを説明する。実施形態において同一の機能を有する構成には同一の符号を付し、重複する説明は省略する。なお、以下の実施形態で説明する照明制御システム、照明制御方法および照明制御プログラムは、一例を示すに過ぎず、実施形態を限定するものではない。例えば、以下の実施形態では、照明制御システムは、照明機器以外にも、任意の舞台装置の制御にも適用することができる。なお、以下の各実施形態は、矛盾しない範囲内で適宜組みあわせてもよい。
【００１１】
本発明の照明制御システム１は照明制御装置１０を備えている。ここで、照明制御装置１０は、照明制御システム１に接続された照明機器５０〜７０を検出する検出部１２を有する。また、照明制御装置１０は、照明機器５０〜７０が設置される設置具（例えば、バトン装置４０〜４２）を示す設置具情報（例えば、アイコンや識別情報等）が表示された画面上に、検出部１２が検出した照明機器５０〜７０を示す照明機器情報（例えば、アイコンや識別情報等）を表示する表示部１４を有する。この際、オペレータ（利用者）の操作によって照明機器情報を画面上の任意の位置に移動させることができる。
【００１２】
また、以下の実施形態に係る照明制御装置１０は、照明制御システム１に照明機器５０〜７０が接続された際に、その信号を受信することでかかる照明機器５０〜７０を検出する。そして、照明制御装置１０は、照明機器５０〜７０を検出したことを契機として、検出された照明機器５０〜７０を示す照明機器情報を表示する。
【００１３】
また、以下の実施形態に係る照明機器５０〜７０は、設置具を介して照明制御システム１と接続される。また、照明制御システム１は、検出された照明機器５０〜７０が接続された設置具を特定する。そして、設置具情報の表示位置に、照明機器５０〜７０を示す照明機器情報を重ねて表示する。
【００１４】
また、以下の実施形態に係る照明制御装置１０は、検出された照明機器５０〜７０の質量を示す情報を収集する。そして、照明制御装置１０は、当該設置具に取り付け可能な機器の最大質量と、設置具に接続された照明機器５０〜７０の合計質量との差分に関する情報を表示する。例えば、合計質量が最大質量を超える場合には、オペレータに警告を行う。
【００１５】
また、以下の実施形態に係る照明制御装置１０は、検出された照明機器５０〜７０の種別を示す情報を収集する。そして、照明制御装置１０は、照明機器５０〜７０の種別に応じて視覚的に異なる表示を行う。例えば、種別に応じて異なる大きさや形のアイコンで表示する。
【００１６】
［実施形態］
（実施形態に係る照明制御システムの構成）
図１は、実施形態に係る照明制御システムの構成の一例を示すブロック図である。実施形態に係る照明制御システム１は、照明制御装置１０、電源装置２０、ノード３０、複数のバトン装置４０〜４２、複数の照明機器５０〜７０を有する。なお、照明制御システム１に接続される照明機器およびバトン装置の種別や数などは任意に設定できる。
【００１７】
照明制御システム１において、照明機器５０〜７０には、ＤＭＸ規格に従った通信プロトコルが適用され、またＤＭＸを拡張したＲＤＭ（Remote  Device  Management）規格に沿った通信方式により、双方向通信が可能な態様で同一のバトン装置４０に接続される。また、各バトン装置４０は、イーサネット（登録商標）等の有線または無線によるネットワークによって、双方向通信が可能な態様でノード３０と接続される。また、各バトン装置４０は、所定の電源供給経路を介して、ノード３０から電力が供給される。また、ノード３０は、イーサネット（登録商標）等の有線または無線によるネットワークによって、照明制御装置１０と双方向通信が可能な態様で接続される。また、ノード３０は、所定の電源供給経路を介して、電源装置２０から電力が供給される。
【００１８】
なお、図１に示す例では、ノード３０を介して、照明制御装置１０および電源装置２０と各バトン装置４０とを接続する例について記載したが、実施形態はこれに限定されるものではない。例えば、照明制御装置１０と各バトン装置４０との間は、ＲＤＭ規格に従った通信方式で直接接続されていてもよい。また、各バトン装置４０は、所定の電源供給経路を介して電源装置２０から電力の供給を直接受付けてもよい。
【００１９】
照明制御装置１０は、ノード３０およびバトン装置４０〜４２を介して、照明制御システム１が有する各照明機器５０〜７０の遠隔制御を行う。例えば、照明制御装置１０は、調光フェーダ等、オペレータからの操作を受付ける操作部を有し、操作部を介して受付けた操作に応じて、照明機器５０〜７０を制御する制御情報をノード３０に送信する。
【００２０】
電源装置２０は、ノード３０を介して、各バトン装置４０〜４２に電力を供給する電源装置である。例えば、電源装置２０は、電圧変換の機能、ブレーカー、ＵＰＳ（Uninterruptible  Power  Supply）等の機能を有する装置である。
【００２１】
ノード３０は、照明制御装置１０と各バトン装置４０〜４２との通信を中継する中継器である。例えば、ノード３０は、照明制御装置１０から受信した制御情報を、送信先となるバトン装置４０〜４２に出力する。また、ノード３０は、電源装置２０から供給された電力を各バトン装置４０〜４２に供給する。
【００２２】
バトン装置４０〜４２は、照明機器５０〜７０が設置される設置具であり、スタジオや舞台等の任意の空間に設置される。例えば、バトン装置４０は、所定の数の照明機器（例えば、６つ）が所定の位置に取り付け可能なバトンである。また、バトン装置４０は、ノード３０から制御情報を受信すると、制御情報をＲＤＭ規格に従った制御信号（例えば、調光信号等）に変換し、制御信号を照明機器５０〜７０に出力することで、照明機器５０〜７０の制御を行う。なお、バトン装置４１、４２は、バトン装置４０と同様の機能を発揮するものとして、以下の説明を省略する。
【００２３】
照明機器５０〜７０は、スタジオや舞台等の照明を行う照明機器である。例えば、照明機器５０〜７０は、光源として、例えばＬＥＤ（Light  Emitting  Diodes）等の半導体発光素子を有し、制御信号に従って、照明の明るさ、範囲、色彩等を変化させる。また、各照明機器５０〜７０は、不揮発性のメモリを有し、かかるメモリに各照明機器の情報である照明機器情報が登録される。かかる照明機器情報は、ＲＤＭ規格に従った信号により読出し等が可能な情報である。
【００２４】
（実施形態に係る照明制御装置が実行する表示処理）
ここで、照明制御装置１０は、以下の表示処理を実行する。まず、照明制御装置１０は、各バトン装置４０〜４２を示すアイコンや名称等の設置具情報を画面上に表示する。具体的には、照明制御装置１０は、各バトン装置４０〜４２のアイコンを、各バトン装置４０〜４２の配置を画面上で模式的に再現するように表示する。なお、かかる表示は、各バトン装置４０〜４２のアイコンの表示位置を、オペレータが予め設定することにより実現されてもよく、照明制御装置１０の工場出荷時に予め設定されてもよい。
【００２５】
続いて、照明制御装置１０は、各バトン装置４０〜４２に対し、照明機器情報の送信を要求する情報要求を所定の時間間隔で各バトン装置４０〜４２に送信する。係る場合、例えば、バトン装置４０は、ＲＤＭを用いて、自装置に接続された照明機器５０〜７０の照明機器情報を収集し、収集した照明機器情報を照明制御装置１０へ送信する。
【００２６】
また、照明制御装置１０は、照明機器情報を受信することで、ノード３０およびバトン装置４０を介して照明制御装置１０に実際に接続された照明機器５０〜７０を検出する。すなわち、照明制御装置１０は、ＲＤＭの対話機能を用いて、照明制御システム１に実際に接続された照明機器５０〜７０を検出する。そして、照明制御装置１０は、検出した照明機器５０〜７０を示すアイコンや名称等の照明機器情報を、移動可能な態様で画面上に表示する。
【００２７】
例えば、照明制御装置１０は、バトン装置４０〜４２のアイコンを表示した画面上に、検出した照明機器５０〜７０を示すアイコンを表示する。そして、照明制御装置１０は、タッチパネル、マウス、トラックボール等の操作部を介して受付けたオペレータの操作に応じて、照明機器５０〜７０を示すアイコンの表示位置を変更する。例えば、オペレータが、照明機器５０のアイコンをバトン装置４０のアイコン上に移動させる操作を行った場合は、かかる操作に従って、照明機器５０のアイコンをバトン装置４０のアイコン上に重ねて表示する。
【００２８】
このように、照明制御装置１０は、照明制御システム１に対して実際に接続された照明機器５０〜７０のアイコンや情報等の照明機器情報を、移動可能な状態で表示する。
【００２９】
また、照明制御装置１０は、所定の時間間隔で情報要求を送信することで、照明制御システム１に接続された照明機器５０〜７０の検出を自動的に行う。そして、照明制御装置１０は、照明機器５０〜７０がバトン装置４０〜４２に接続されたことを契機として、検出された照明機器５０〜７０のアイコンを表示する。このため、照明制御装置１０は、使用する照明機器の追加や変更が行われた場合にも、リアルタイムで実際に使用する表示機器５０〜７０を表示することができる。
【００３０】
続いて、図２を用いて、実施形態に係る照明制御装置および照明機器の構成の一例を説明する。図２は、実施形態に係る照明制御装置および照明機器の構成の一例を示すブロック図である。
【００３１】
（実施形態に係る照明機器の構成）
まず、照明機器５０の構成について説明する。実施形態に係る照明機器５０は、通信部５１、記憶部５２、制御部５３、光源部５４、電源部５５を有する。
【００３２】
通信部５１は、バトン装置４０との間でＤＭＸ規格に従う信号の送受信を行い、ノード３０及びバトン装置４０を介して、照明制御装置１０との間で情報の送受信を行う。また、通信部５１は、バトン装置４０から照明機器情報の読出し要求を受信した場合は、記憶部５２に登録された照明機器情報を読出し、読出した照明機器情報をバトン装置４０に出力する。
【００３３】
記憶部５２は、照明機器５０が有する不揮発性のメモリであり、照明機器５０の照明機器情報が登録される。例えば、図３は、実施形態にかかる照明機器情報の一例を示す図である。図３に示す例では、照明機器５０の照明機器情報は、製造会社名、機器型番、ＵＩＤ、ユニバース、ＤＭＸアドレス、点灯時間、通電時間、質量、パーソナリティー設定といった情報を含む。
【００３４】
ここで、製造会社名とは、照明機器５０の製造会社名であり、例えば「ＡＡＡ  Ｃｏ．」といった情報である。機器型番とは、照明機器５０の型番であり、例えば「ＬＥＤ−０１」といった情報である。ＵＩＤ（Unique  Identifier）とは、ＤＭＸ規格で用いられる装置ごとに一意の番号であり、例えば「ＢＢＢ・・・」等、１２桁の１６進数で表される情報である。
【００３５】
また、ユニバースとは、ＤＭＸのデータリンクを識別する情報であり、例えば「１」といった値が設定される。また、ＤＭＸアドレスとは、ＤＭＸのデータリンク上におけるアドレスであり、例えば「１」といった値が設定される。また、点灯時間とは、照明機器５０が有する光源を点灯させた時間を示す情報であり、例えば「８１ｈ（Hour）」といった値である。また、通電時間とは、照明機器５０に電力が供給された時間を示す情報であり、例えば「９８ｈ」といった値である。また、質量とは、照明機器５０の質量を示す情報であり、例えば「１０．７ｋｇ（キログラム）」といった情報である。また、パーソナリティー設定とは、照明機器５０の動作のモードを示す情報であり、例えば「１」といった値が設定される。
【００３６】
図２に戻り、説明を続ける。制御部５３は、バトン装置４０から受信した制御信号に従って、光源部５４の制御を行う。例えば、制御部５３は、照明制御装置１０が照明機器５０の照度を変更する操作を受付けた場合は、バトン装置４０から変更後の照度を示す制御信号を受信する。かかる場合、制御部５３は、制御信号に従って、光源部５４を制御し、照明機器５０の照明の照度を変更する。
【００３７】
なお、制御部５３は、制御信号に従い、照明の色彩や照射する範囲を制御してもよい。また、制御部５３は、照明機器５０が図示を省略した駆動装置等を有する場合は、かかる駆動装置を用いて、照明機器５０の向きや位置を変更することができる。すなわち、制御部５３は、ＤＭＸ規格に従い、照明機器５０の照明態様を任意の態様に変更する制御を行うことができる。
【００３８】
光源部５４は、照明機器５０が有する光源であり、例えば、ＬＥＤ等の半導体発光素子により実現される。また、光源部５４は、制御部５３の制御に従い、照度、照明する範囲、色彩等を制御可能な光源である。
【００３９】
電源部５５は、バトン装置４０から供給される電力を光源部５４に供給する。なお、電源部５５は、バトン装置４０からではなく、電源装置２０等から直接電力の供給を受付けてもよい。
【００４０】
（実施形態に係る照明制御装置の構成）
次に、照明制御装置１０の構成について説明する。実施形態に係る照明制御装置１０は、通信部１１、検出部１２、操作部１３、表示部１４、制御部１５を有する。通信部１１は、ノード３０及びバトン装置４０を介して、照明機器５０〜７０との間で情報の送受信を行う。例えば、通信部１１は、ＮＩＣ（Network  Interface  Card）等の通信装置によって実現される。
【００４１】
検出部１２は、照明制御装置１０に接続された照明機器５０〜７０を検出する。例えば、検出部１２は、所定の時間間隔で、情報要求を各バトン装置４０〜４２に送信し、ノード３０およびバトン装置４０〜４２を介して照明制御装置１０に接続された照明機器５０〜７０の照明機器情報を収集する。
【００４２】
また、検出部１２は、各バトン装置４０〜４２が収集した照明機器情報を受信した場合は、受信した照明機器情報が示す照明機器を検出したものとして、検出した照明機器の照明機器情報を制御部１５に出力する。このように、検出部１２は、照明制御装置１０に接続された照明機器の検出と照明機器情報の収集とをリアルタイムに行うことができる。
【００４３】
操作部１３は、オペレータからの各種操作を受付け、受付けた各種操作の内容を制御部１５に出力する。例えば、操作部１３は、各照明機器５０〜７０の制御を受付けるスイッチや調光フェーダ、アイコンの表示位置を変更する操作を受付けるタッチパネル、マウス、トラックボール等により実現される。
【００４４】
表示部１４は、後述する制御部１５による制御に従い、照明制御装置１０に接続された各照明機器５０〜７０のアイコンを移動可能な態様で表示する表示装置であり、例えば、液晶モニタ等により実現される。なお、操作部１３が各照明機器５０〜７０の制御や、アイコンの表示位置を変更する操作を受付けるタッチパネルで実現される場合、操作部１３と表示部１４は、一体の装置として形成される。
【００４５】
制御部１５は、照明機器５０〜７０の制御を行う。例えば、制御部１５は、操作部１３が照明機器５０に対する操作を受付けた場合は、操作に従って照明機器５０を制御する制御情報を生成し、照明機器５０を宛先として制御情報を送信する。かかる場合、照明機器５０が接続されたバトン装置４０は、制御情報を制御信号に変換し、照明機器５０に対して制御信号を出力し、照明機器５０を制御する。
【００４６】
また、制御部１５は、操作部１３が受付けたオペレータの操作に応じて、各照明機器５０〜７０の制御や、各照明機器５０〜７０のアイコンの表示位置を変更する。例えば、制御部１５は、オペレータの設定に基づき、バトン装置４０〜４２のアイコンを、表示部１４が有する画面のうち、バトン装置４０〜４２の設置位置に応じた表示位置に表示させる。すなわち、制御部１５は、照明制御システム１が設置されたスタジオや舞台等を模式的に表示させる。
【００４７】
また、制御部１５は、検出部１２により検出された照明機器５０の照明機器情報を受信した場合は、受信した照明機器情報に含まれる機器型番やＵＩＤ等を用いて、検出された照明機器５０の種別を特定する。ここで、照明機器の種別とは、例えば、スポットライト、ベースライト、ホリゾントライト等である。
【００４８】
そして、制御部１５は、特定した種別の照明機器を示すアイコンを、照明機器５０のアイコンとして表示部１４に表示させる。例えば、制御部１５は、特定した種別の照明機器を示すアイコンに、照明機器５０のユニバースやＤＭＸアドレスを重ねて表示させる。また、制御部１５は、オペレータの操作に応じて、照明機器５０〜７０のアイコンの表示位置を画面上の任意の位置に移動する。また、制御部１５は、アイコンを表示した照明機器以外の照明機器を示す照明機器情報を受信し認識した場合は、受信した照明機器情報が示す照明機器を示すアイコンを新たに表示させ、オペレータが操作可能の状態にする。
【００４９】
ここで、制御部１５は、オペレータが画面上でいずれかのバトン装置４０〜４２のアイコン上に照明機器のアイコンを移動させる操作を行った場合は、以下の処理を実行する。例えば、制御部１５は、照明機器のアイコンの移動先となったバトン装置のアイコンと重なる全ての照明機器のアイコンを特定する。続いて、制御部１５は、特定したアイコンが示す照明機器の照明機器情報を用いて、特定したアイコンが示す照明機器の合計質量を特定する。そして、制御部１５は、照明機器のアイコンの移動先となったバトン装置に取付け可能な機器の最大質量と、特定した照明機器の合計質量とを比較し、その差分に関する情報を表示する。この時、特定した照明機器の合計質量の方が大きい場合は、バトン装置に対する質量オーバが生じた旨の警告を、表示部１４に表示させることも可能である。この結果、照明制御装置１０は、バトン装置の落下の危険性を軽減し、安全性を担保することができる。また、特定した照明機器の合計質量がバトン装置に取付け可能な最大質量に満たない場合には、更に別の照明機器が取付け可能である旨のアナウンスを、表示部１４に表示させることも可能である。もちろん、特定した照明機器の合計質量とバトン装置に取付け可能な最大質量との差分に係る質量を表示するだけでもよい。
【００５０】
なお、上述した説明では、照明制御装置１０は、照明制御システム１に接続された照明機器５０〜７０をリアルタイムに検出した。例えば、照明制御装置１０は、照明制御システム１に照明機器５０が接続されたことを契機として、照明機器５０を示すアイコンを表示した。しかしながら、実施形態は、これに限定されるものではない。
【００５１】
例えば、照明制御装置１０は、照明制御システム１の準備を行う準備モードで動作する場合、所定の時間間隔で情報要求を送信することで、照明制御システム１に接続される照明機器５０〜７０をリアルタイムに検出し、検出した照明機器５０〜７０のアイコンを表示する。一方、照明制御装置１０は、照明制御システム１の準備が終了し、各照明機器５０〜７０の制御を行う制御モードで動作する場合は、オペレータから指示があった場合にのみ情報要求を送信し、照明機器５０〜７０の検出を行うこととしてもよい。このような処理を実行することで、照明制御装置１０は、ネットワーク上のトラフィックを軽減することができる。
【００５２】
なお、照明制御装置１０は、照明機器５０〜７０が接続されたバトン装置４０を特定し、照明機器５０〜７０のアイコンを、バトン装置４０のアイコンと重ねて表示してもよい。例えば、検出部１２は、照明機器情報を受信すると、照明機器情報が格納されたパケットの送信元、すなわち、照明機器情報が示す照明機器が接続されたバトン装置を特定する。そして、検出部１２は、照明機器情報とともに、照明機器情報が示す照明機器が接続されたバトン装置を制御部１５に通知する。
【００５３】
かかる場合、制御部１５は、照明機器情報が示す照明機器のアイコンを、照明機器情報が示す照明機器が接続されたバトン装置のアイコンと重ねて表示させる。この結果、照明制御装置１０は、照明機器が接続されたバトン装置を容易に認識させることができる。
【００５４】
なお、バトン装置４０は、照明機器５０〜７０が接続された端子等を特定することで、照明機器５０〜７０の接続位置を推定することができる場合がある。しかしながら、例えば、照明機器５０が、実際に設置されたバトン装置上の位置から遠い端子に接続されている場合には、照明機器５０〜７０の接続位置を正確に推定することができない。このため、制御部１５は、照明機器５０〜７０が接続されたバトン装置４０を特定し、照明機器５０〜７０のアイコンをバトン装置４０のアイコンと重ねて表示させる場合にも、照明機器５０〜７０のアイコンをバトン装置の任意の位置に移動可能な態様で表示する。この結果、照明制御装置１０は、照明機器５０〜７０が変則的に設置されている場合にも、画面上でかかる態様を再現できるので、照明機器の把握をより容易にすることができる。
【００５５】
なお、上述した照明制御装置１０は、ＣＰＵ（Central  Processing  Unit）と、ＲＯＭ（Read  Only  Memory）又はＲＡＭ（Random  Access  Memory）を有するコンピュータが、所定の記録媒体に登録された表示プログラムを読み取り、読み取った表示プログラムを実行することにより、実現されてもよい。
【００５６】
（実施形態に係る照明制御装置が表示する表示ウインドウの一例）
ここで、図４は、実施形態に係る照明制御装置が表示する画面の一例を示す図である。なお、図４には、複数のベースライトが接続されたバトン装置と、ベースライトやスポットライト等が接続される６つのバトン装置を有するスタジオが模式的に表示される例について記載した。
【００５７】
例えば、照明制御装置１０は、照明制御システム１が設置されたスタジオが模式的に表示される表示ウインドウＣ１を表示する。また、照明制御装置１０は、表示ウインドウＣ１内に、バトン装置や照明機器のレイアウトやアイコンを表示する表示領域Ｃ２と、各照明機器の設定を記録する設定領域Ｃ３とを有する。また、照明制御装置１０は、スタジオに設置されたバトン装置Ｌ１〜Ｌ６のアイコンを、バトン装置Ｌ１〜Ｌ６の配置を模式的に示す表示位置に重ねて表示する。
【００５８】
ここで、図４に示す例では、照明制御装置１０は、照明制御システム１に接続された照明機器を示すアイコンと重ねて、照明機器のユニバースとＤＭＸアドレス（以下、識別情報と記載する。）とを「ユニバース＃ＤＭＸアドレス」の形式で表示する。例えば、照明制御装置１０は、スタジオの外周に設置されたベースライトのアイコンに、「１＃１９０」〜「１＃２３６」といった各ベースライトの識別情報を重ねて表示する。
【００５９】
また、照明制御装置１０は、バトン装置Ｌ１に接続されたスポットライトのアイコンに、「１＃３００」、「１＃３０１」といった識別情報を重ねて表示し、バトン装置Ｌ１に設置されたベースライトのアイコンに「１＃３０２」といった識別情報を重ねて表示する。同様に、照明制御装置１０は、バトン装置Ｌ４〜Ｌ６に接続されたベースライトやスポットライトのアイコンに、「１＃３１」〜「１＃３６」といった識別情報を重ねて表示する。
【００６０】
ここで、識別情報が「１＃５０」であるベースライト、識別情報が「１＃５１」であるベースライト、識別情報が「１＃５２」であるスポットライト、識別情報が「１＃５３」であるスポットライトが接続されたものとする。かかる場合、照明制御装置１０は、各ベースライトと各スポットライトを検出し、各ベースライトと各スポットライトのアイコンＣ１０〜Ｃ１３に、識別情報を重ねて表示領域Ｃ２の下部に表示する。そして、照明制御装置１０は、オペレータの操作に応じて、各アイコンＣ１０〜Ｃ１３の表示位置を移動させる。このように、照明制御装置１０は、接続された照明機器の種別に応じて視覚的に異なるアイコンを表示するので、実際に使用する照明機器の把握をより容易にすることができる。
【００６１】
ここで、照明制御装置１０は、例えば、アイコンＣ１０がバトン装置Ｌ１のアイコンと重なる位置まで移動された場合は、バトン装置Ｌ１のアイコンと重なる照明機器のアイコンを特定することで、バトン装置Ｌ１に設置された照明機器を特定する。例えば、照明制御装置１０は、識別情報が「１＃５０」、「１＃３００」、「１＃３０１」、「１＃３０２」である照明機器を特定する。そして、照明制御装置１０は、特定した照明機器の合計質量とバトン装置Ｌ１に取り付け可能な機器の最大質量とを比較してその差分に関する情報を表示する。また、照明制御装置１０は、特定した照明機器の合計質量が大きい場合は、警告を表示することもできる。
【００６２】
なお、照明制御装置１０は、任意の態様で警告を表示することができる。例えば、照明制御装置１０は、バトン装置Ｌ１のアイコンを強調表示する、若しくは、バトン装置Ｌ１が質量オーバである旨の警告を含む表示を表示ウインドウＣ１と重ねて表示してもよい。
【００６３】
なお、照明制御装置１０は、かかる表示領域Ｃ２上にアイコンが表示された照明機器の制御を受付ける。そして、照明制御装置１０は、照明機器の設定を登録する旨の操作が行われた場合は、かかる設定を示すアイコンＣ１４、Ｃ１５を設定領域Ｃ３に表示する。また、照明制御装置１０は、オペレータがアイコンＣ１４、Ｃ１５を選択した場合は、オペレータが選択したアイコンが示す設定に従って、制御情報を送信することで、照明機器の設定を再現する。また、照明制御装置１０は、各アイコンＣ１４、Ｃ１５が示す設定に従う制御情報を、所定の時間間隔で送信することで、各アイコンＣ１４、Ｃ１５が示す設定を順次再現してもよい。かかる登録や再現、所定の時間間隔の設定は、操作用アイコンＣ１６を介して行われる。
【００６４】
（実施形態に係る照明制御装置が表示する照明機器の情報画面の一例）
また、照明制御装置１０は、オペレータがバトン装置Ｌ１に設置された照明機器の情報画面を呼び出した場合は、図５に示すように、バトン装置Ｌ１に設置された照明機器の照明機器情報を表示する。例えば、図５は、実施形態に係る照明制御装置が表示する照明機器の情報画面の一例を示す図である。図５に示すように、バトン装置Ｌ１に設置された照明機器の情報画面には、識別情報が「１＃５０」、「１＃３００」、「１＃３０１」、「１＃３０２」である照明機器の各種照明機器情報が表示される。
【００６５】
また、バトン装置Ｌ１に設置された照明機器の情報画面には、バトン装置Ｌ１に設置された照明機器の総質量Ｃ２０が表示されるので、バトン装置Ｌ１にどの照明機器をあと何台設置できるか等といった情報を容易に把握させることができる。ここで、照明制御装置１０は、各照明機器の質量の合計である総質量「３１．１ｋｇ」が、バトン装置Ｌ１の最大質量（例えば、３０ｋｇ）よりも多い場合は、総質量の表示画面を赤枠で囲む等の強調表示を行ってもよい。
【００６６】
また、例えば、照明制御装置１０は、照明機器の情報画面の右上に「器具情報取得」ボタンを表示する。そして、照明制御装置１０は、オペレータが「器具情報取得」ボタンを選択した場合は、情報要求を送信することで、照明制御装置１０に接続された照明機器の情報を収集し、収集した照明機器の照明機器情報を表示する。
【００６７】
（実施形態に係る表示処理）
図６は、実施形態に係る照明制御装置における表示処理の一例を示すフローチャートである。なお、図６には、準備モードにおいて表示処理が常時実行される例について記載したが、かかる表示処理は、制御モードにおいて実行されてもよい。
【００６８】
まず、照明制御装置１０の検出部１２は、照明制御装置１０に接続された照明機器を検出する（ステップＳ１０１）。そして、表示部１４は、検出された照明機器のアイコンを表示する（ステップＳ１０２）。続いて、制御部１５は、アイコンの移動操作が行われたか否かを判定し（ステップＳ１０３）、アイコンの移動操作が行われた場合は（ステップＳ１０３：Ｙｅｓ）、アイコンの移動先となるバトン装置を特定する（ステップＳ１０４）。
【００６９】
また、照明制御装置１０の制御部１５は、照明機器の合計質量が特定したバトン装置に取り付け可能な機器の最大質量よりも重いか否かを判定する（ステップＳ１０５）。そして、照明制御装置１０の表示部１４は、照明機器の合計質量が特定したバトン装置に取り付け可能な機器の最大質量よりも重い場合は（ステップＳ１０５：Ｙｅｓ）、その差分の重量と共に警告を表示する（ステップＳ１０６）。
【００７０】
続いて、照明制御装置１０の制御部１５は、準備モードが終了したか否かを判定し（ステップＳ１０７）、終了した場合は（ステップＳ１０７：Ｙｅｓ）、表示処理を終了する。一方、制御部１５は、アイコンの移動操作が行われなかった場合は（ステップＳ１０３：Ｎｏ）、ステップＳ１０７を実行する。また、制御部１５は、照明機器の合計質量が特定したバトン装置に取り付け可能な機器の最大質量以下となる場合は（ステップＳ１０５：Ｎｏ）、ステップＳ１０７を実行する。また、照明制御装置１０の制御部１５は、準備モードが終了していない場合は（ステップＳ１０７：Ｎｏ）、ステップＳ１０３を実行する。
【００７１】
（他の実施形態）
上述した実施形態では、照明制御装置１０は、バトン装置４０〜４２のアイコンを、バトン装置４０〜４２の配置を模式的に示す表示位置に表示した。しかしながら、実施形態は、これに限定されるものではない。例えば、スタジオや舞台によっては、照明制御装置１０との通信機能を有さない設置具が設置され、かかる設置具に照明機器５０〜７０を設置する場合がある。このような場合、照明制御装置１０と照明機器５０〜７０とは、イーサーネットとＤＭＸ規格に従う信号とを変換するノードを介して、若しくは、ＤＭＸ規格の信号線で直接接続されるが、照明制御装置１０は、照明機器が設置された設置具を特定することができない。
【００７２】
しかしながら、このような場合には次に示す手法を採用することができる。例えば、図７は、実施形態の表示装置が表示する画面の他の例を説明する図である。なお、図７に示す例では、設置具がグリッド状に設置されたスタジオを模式的に表示する表示ウインドウＣ１の一例を記載した。
【００７３】
例えば、照明制御装置１０は、表示ウインドウＣ１の表示領域Ｃ２に、照明制御装置１０と接続された照明機器のアイコンを表示する。より具体的には、照明制御装置１０は、識別情報が「１＃１０」〜「１＃１７」となる照明機器のアイコンを表示し、利用者によるアイコンの移動を受付ける。
【００７４】
また、例えば、照明制御装置１０は、識別情報が「１＃５０」〜「１＃５３」となる照明機器が接続された場合は、該当する照明機器を示すアイコンＣ１０〜Ｃ１３を表示領域Ｃ２の下部に表示する。そして、照明制御装置１０は、各アイコンＣ１０〜Ｃ１３の移動を受付ける。なお、照明制御装置１０は、照明機器の向きを示すため、各アイコンの向きを変更する操作を受付けてもよい。
【００７５】
（実施形態に係る照明制御装置が表示する照明機器の情報画面の他の例）
ここで、照明制御装置１０は、照明機器の情報画面を呼び出した場合は、図８に示すように、照明制御装置１０と接続された照明機器の各種照明機器情報を表示する。なお、照明制御装置１０は、各照明機器が設置された設置具を特定できないため、各照明機器の照明機器情報を表示するのみで、照明機器の総質量の算出等を行わない。
【００７６】
このように、照明制御装置１０は、実際に接続された照明機器のアイコンを移動可能な態様で表示する。この結果、使用される照明機器を容易に把握し操作できる。
【００７７】
（照明制御システムに接続される機器について）
上述した実施形態では、照明制御システム１に照明機器５０〜７０が接続される例について記載したが、実施形態は、これに限定されるものではない。例えば、照明制御システム１は、照明機器５０〜７０のみならず、紙ふぶき散布器具やファン等の演出機材等、ＤＭＸ規格に従う信号を利用可能な機材を検出してもよい。また、照明制御装置１０は、バトン装置４０〜４２に設置された照明機器５０〜７０だけではなく、演出機材等の質量も合計することで、バトン装置４０〜４２に設置された各種機材の総質量を算出してもよい。
【００７８】
（照明制御装置が利用する照明機器情報について）
上述した実施形態では、照明制御装置１０は、照明機器情報を用いて、照明機器の種別や質量を特定した。しかしながら、実施形態は、これに限定されるものではない。例えば、照明制御装置１０は、照明機器情報に含まれる情報をキーとして、予め登録されたデータベースやインターネット上から照明機器の各種情報を収集し、収集した各種情報を用いた処理を実行してもよい。
【００７９】
（アイコンについて）
また、照明制御装置１０は、各照明機器の設定内容に応じて、アイコンを変更してもよい。例えば、照明制御装置１０は、照明機器５０の照明の照度に応じて、照明機器５０のアイコンの色、大きさや形状を変更してもよく、照度を示す値を照明機器５０のアイコンと共に表示してもよい。また、照明制御装置１０は、照明機器５０の照明の色に応じて、照明機器５０のアイコンの色を変更してもよい。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
１  照明制御システム
１０  照明制御装置
１１  通信部
１２  検出部
１３  操作部
１４  表示部
１５  制御部
２０  電源装置
３０  ノード
４０〜４２  バトン装置
５０〜７０  照明機器
５１  通信部
５２  記憶部
５３  制御部
５４  光源部
５５  電源部
Ｃ１  表示ウインドウ
Ｃ２  表示領域
Ｃ３  設定領域
Ｃ１０〜Ｃ１５  アイコン
Ｃ１６  操作用アイコン
Ｃ２０  総質量
【図１】
0006447043.tif 000002
【図２】
0006447043.tif 000003
【図３】
0006447043.tif 000004
【図４】
0006447043.tif 000005
【図５】
0006447043.tif 000006
【図６】
0006447043.tif 000007
【図７】
0006447043.tif 000008
【図８】
0006447043.tif 000009